(57)【要約】      （修正有）【課題】防水性に優れた携帯用防犯ブザーを提供する。【解決手段】スイッチピンを引っ張ることで警報音を発生する携帯用防犯ブザー１である。この携帯用防犯ブザー１は、ブザー本体１０にスイッチ穴１３ａを有する。スイッチ穴１３ａには、スイッチとして鍔部２２が設けられたスイッチピン２０が挿入されている。このスイッチピン２０を引っ張ると警報音を発生する。スイッチピン２０をスイッチ穴１３ａに差し込んだ状態において、リング状の第１シール部材５１が鍔部２２とブザー本体１０との間で挟持されている。【選択図】図１
0003119589.tif 000002
【実用新案登録請求の範囲】
【請求項１】
警報音を発生する携帯用防犯ブザーであって、
スイッチ穴を有するブザー本体と、
前記スイッチ穴に挿入され、引き抜かれることで前記警報音を発生するスイッチとなり、鍔部が設けられたスイッチピンと、
前記スイッチピンに外嵌され、前記スイッチピンを前記スイッチ穴に差し込んだときに前記鍔部と前記ブザー本体との間に挟持されるリング状の第１シール部材とを備えたことを特徴とする携帯用防犯ブザー。
【請求項２】
前記ブザー本体の前記スイッチ穴を形成するスイッチ部材と、前記ブザー本体の外装のケースとの間にリング状の第２シール部材を設けたことを特徴とする請求項１に記載の携帯用防犯ブザー。
【請求項３】
前記ブザー本体は、前記外装のケースが第１ケースと第２ケースに分割して構成されるとともに、前記スイッチ部材は、前記第１ケースと前記第２ケースの境界に配置され、
前記第１ケースと前記第２ケースの間をシールするリング状の第３シール部材をさらに備え、
前記第２シール部材と、前記第３シール部材とが一体に形成されたことを特徴とする請求項２に記載の携帯用防犯ブザー。
【請求項４】
前記スイッチ部材は、前記第２シール部材および前記第３シール部材が取り付けられた状態で、前記第１ケースまたは前記第２ケースの一方に固定されていることを特徴とする請求項３に記載の携帯用防犯ブザー。
【請求項５】
前記ブザー本体は、前記外装のケースが第１ケースと第２ケースに分割して構成されるとともに、前記スイッチ部材は、前記第１ケースまたは第２ケースの縁から離れた位置で前記スイッチ穴が開口するように配置され、
前記第１のケースと前記第２のケースの間をシールするリング状の第３シール部材をさらに備えたことを特徴とする請求項２に記載の携帯用防犯ブザー。
【請求項６】
前記ブザー本体に、端部同士で互いに結合可能なバンドを設けたことを特徴とする請求項１から請求項５のいずれか１項に記載の携帯用防犯ブザー。
【考案の詳細な説明】
【技術分野】
【０００１】
本考案は、携帯用防犯ブザーに関し、特に、防水性能を有する携帯用防犯ブザーに関する。
【背景技術】
【０００２】
一般に、携帯用の防犯ブザーは、所持者が危険な場面に会ったときに即座に警報を鳴らすことができるように、本体から部材を引っ張り、又は本体を部材から引き離すことで警報のスイッチを入れることができるように構成されている。
特に、典型的に利用されている構成としては、本体にスイッチピンを差し込んでおく構造にしておき、そのスイッチピンを本体から引っ張ることで、警報のスイッチを入れるものがある。このスイッチピンを引っ張ってスイッチを入れる携帯用防犯ブザーの中には、スイッチピンを引っ張っても本体から少し抜けるだけで本体にスイッチピンが結合したままのタイプと、スイッチピンが本体から完全に引き抜けるタイプとがある。
前者のタイプの携帯用防犯ブザーは、スイッチピンが本体から離れないので、誤ってスイッチピンを引いてしまった場合にすぐにスイッチピンを戻して警報を止めることができる。逆にいえば、実際に危険な状況に会った場合に簡単に警報を止められてしまうおそれがある。後者のタイプの携帯用防犯ブザーは、前者とは逆に、実際に危険な状況に会った場合に、警報を止められにくいというメリットがある。
【０００３】
ところで、従来の携帯用防犯ブザーの多くは、屋外で持ち歩くものであるにもかかわらず、防水性を考慮されていなかった。そのため、鞄に取り付けた携帯用防犯ブザーが雨に濡れると内部に水が浸入して電気回路を腐食させるおそれがあった。
特許文献１に記載の防犯ブザーは、腕時計型のものであり、防水性について考慮されているが、警報のスイッチは押しボタン式のものであり、スイッチピンを引っ張るタイプのものではない。
【特許文献１】特開平８−３３４５７４号公報
【考案の開示】
【考案が解決しようとする課題】
【０００４】
本考案は、以上のような背景に鑑みてなされたものであり、防水性に優れた携帯用防犯ブザーを提供することを課題とする。
【課題を解決するための手段】
【０００５】
前記課題を解決するため、本考案は、警報音を発生する携帯用防犯ブザーであって、
スイッチ穴を有するブザー本体と、
前記スイッチ穴に挿入され、引き抜かれることで警報音を発生するスイッチとなり、鍔部が設けられたスイッチピンと、
前記スイッチピンに外嵌され、前記スイッチピンを前記スイッチ穴に差し込んだときに前記鍔部と前記ブザー本体との間に挟持されるリング状の第１シール部材とを備えたことを特徴とする。
【０００６】
このような構成により、スイッチピンを引き抜くタイプの携帯用防犯ブザーにおいても、スイッチピンの鍔部とブザー本体の間で第１シール部材が挟持され、スイッチ穴からブザー本体内に水が浸入するのが防止される。
【０００７】
前記した携帯用防犯ブザーにおいては、前記ブザー本体の前記スイッチ穴を形成するスイッチ部材と、前記ブザー本体の外装のケースとの間にリング状の第２シール部材を設けることができる。
【０００８】
このような構成により、スイッチ部材とブザー本体の外装の間から、ブザー本体内に水が浸入するのを防止することができる。
【０００９】
前記携帯用防犯ブザーにおいては、前記ブザー本体は、前記外装のケースが第１ケースと第２ケースに分割して構成されるとともに、前記スイッチ部材は、前記第１ケースと前記第２ケースの境界に配置され、
前記第１ケースと前記第２ケースの間をシールするリング状の第３シール部材をさらに備え、
前記第２シール部材と、前記第３シール部材とを一体に形成するのが望ましい。
【００１０】
このような構成により、２つのシール部材を一つにして部品コスト及び組立コストを低減できる。また、小さな部品が減らせるので、組立時にシール部材を付け忘れるのを防止することができる。
【００１１】
また、この第２シールと第３シールを一体にした構成においては、前記スイッチ部材は、前記第２シール部材および前記第３シール部材が取り付けられた状態で、前記第１ケースまたは前記第２ケースの一方に固定されていることが望ましい。
このような構成とすることで、スイッチ部材に取り付けられた一体型の第２シールおよび第３シールを第１ケースまたは第２ケースに仮固定できる。そのため、第１ケースと第２ケースの組み合わせのときに、第２シールおよび第３シールの位置がずれることがなく、組立作業がしやすいとともに、組立不良が防止される。
【００１２】
前記携帯用防犯ブザーにおいては、前記ブザー本体は、外装が第１ケースと第２ケースに分割して形成されるとともに、前記スイッチ部材は、前記第１ケースまたは第２ケースの縁から離れた位置で前記スイッチ穴が開口するように配置され、
前記第１のケースと前記第２のケースの間をシールするリング状の第３シール部材をさらに備えることができる。
【００１３】
このような構成によれば、スイッチ穴の位置を自由な位置に配置することができ、携帯用防犯ブザーのデザインの自由度を増すことができる。
【００１４】
前記ブザー本体には、端部同士で互いに結合可能なバンドを設けるのが望ましい。
このようなバンドにより、ランドセルのベルトなどに携帯用防犯ブザーを取り付けることができる。
【考案の効果】
【００１５】
本考案によれば、スイッチピンを引き抜くタイプの携帯用防犯ブザーの防水性を高めることができる。
【考案を実施するための最良の形態】
【００１６】
次に、本考案の実施形態について、適宜図面を参照しながら詳細に説明する。参照する図面において、図１は、第１実施形態に係る携帯用防犯ブザーの全体斜視図であり、図２（ａ）は、第１実施形態に係る携帯用防犯ブザーの分解斜視図であり、図２（ｂ）は、下ケースの内面側から見た分解斜視図である。
【００１７】
図１に示すように、携帯用防犯ブザー１は、ブザー本体１０とスイッチピン２０とを備えて構成されている。スイッチピン２０は、通常時はスイッチ穴１３ａに挿入されており、ブザー本体１０は、スイッチピン２０がスイッチ穴１３ａから引き抜かれることで、警報音のスイッチが入るように構成されている。
【００１８】
ブザー本体１０には、ブザー本体１０を鞄などから吊り下げるためにチェン９１が取り付けられ、チェン９１の端部にはリング状の金具などに係脱可能なフック９２が結合されている。また、ブザー本体１０をランドセルのベルトなど、ある程度太い部材に取り付けるため端部同士で互いに結合可能なバンド９３が下側（以下、説明の便宜上、図１の上下で「上」および「下」を用いる。）に設けられている。バンド９３の両端部には、面ファスナ９３ａ，９３ｂが縫製などにより設けられている。
バンド９３の長さは、好ましくは、１０〜１５ｃｍ、より好ましくは１１〜１２．５ｃｍ程度である。このような長さとすることで、ランドセルのベルトに取り付けやすいとともに、首などに取り付けることが不可能となる。また、面ファスナ９３ａ，９３ｂを用いていることで、鞄などから簡単に取り外して、他の鞄へ取り付けることが可能であるとともに、様々な太さの部分に取り付けることが可能である。
【００１９】
スイッチピン２０は、ブザー本体１０のスイッチ穴１３ａに挿入されるピン部２１と、ピン部２１の一端に設けられた円柱状の鍔部２２とを備えて構成されている。
ピン部２１には、リング状の第１シール部材５１が外嵌されている。第１シール部材５１は、スイッチピン２０をスイッチ穴１３ａに挿入したときに、鍔部２２とブザー本体１０のスイッチ穴１３ａの周りの部分（縁部１３ｅ、図３（ｂ）参照）とで挟持される。これにより、スイッチ穴１３ａからブザー本体１０の内部に水が浸入するのが防止されている。
第１シール部材５１の内径は、好ましくはピン部２１の外径と同じか、若干小さいのがよい。このようにすることで、スイッチピン２０をブザー本体１０から引き抜いたときに、第１シール部材５１がピン部２１から脱落せず、再度スイッチピン２０をスイッチ穴１３ａに挿入したときの防水性能を確保することができる。また、第１シール部材５１は、ゴム状のものであるのがよい。
【００２０】
鍔部２２には貫通した穴２２ａが形成されており、穴２２ａにリング９５を介してストラップ９４が取り付けられている。ストラップ９４は、携帯用防犯ブザー１の使用者が危険に遭遇したときに素早くスイッチピン２０をブザー本体１０から引き抜くために掴む部分として機能する。
【００２１】
ブザー本体１０は、その外装のケースＣが第１ケースとしての上ケース１１と第２ケースとしての下ケース１２とから構成されている。上ケース１１には、スピーカ３３（図２参照）から大きな警報音を外部へ放出することができるようにするとともに、外部からスピーカ３３へ直接水が掛からないように保護するキャップ１４が取り付けられている。ケースＣは、全体として卵形であり、長径の方向の先端に前記したスイッチ穴１３ａが配置されている。
【００２２】
図２（ａ）に示すように、ケースＣの中には、警報装置３０が収容されている。警報装置３０は、警報音を発するための信号を出力する回路を備えたプリント基板３１と、装置の電源となる電池３２と、プリント基板３１に電線３４を介して接続され、回路からの信号が入力されて警報音を発するスピーカ３３とを備えてなる。なお、図２（ａ）は、図１の携帯用防犯ブザー１を上下反対にして分解した状態を示している。
プリント基板３１上には、半田付けなどによりスイッチ部材１３が固定されている。前記したスイッチ穴１３ａは、このスイッチ部材１３に形成された穴である。
【００２３】
スイッチ部材１３は、一方からスイッチピン２０が挿入可能なようにスイッチ穴１３ａが開口した筒状の部材である。スイッチ部材１３は、上ケース１１と下ケース１２に挟まれる形で配置されている。すなわち、スイッチ部材１３は、上ケース１１と下ケース１２の境界に配置されている。そして、スイッチ穴１３ａは、上ケース１１と下ケース１２の間から外部へ露出している。
【００２４】
プリント基板３１には、プリント基板３１をネジ９８で上ケース１１に固定するための２つの小孔３１ａが形成されている。
上ケース１１には、小孔３１ａの位置に対応して、ボス１１ａが２つ形成されている。ネジ９８を小孔３１ａに通してボス１１ａにねじ込むことで、プリント基板３１は上ケース１１に固定されている。なお、プリント基板３１を上ケース１１に固定するためのネジ９８は、１つでもよいし、３つ以上でもよい。
【００２５】
スイッチ部材１３の形状に対応して、上ケース１１の縁には半円形の凹部１１ｃが形成され、下ケース１２の縁には半円形の凹部１２ｃが形成されている。そして、スイッチ部材１３とこれらの凹部１１ｃ，１２ｃとの間からケースＣの内部に水が浸入しないように、スイッチ部材１３と凹部１１ｃ，１２ｃとの間にリング状の第２シール部材５２が配置されている。また、上ケース１１と下ケース１２との間からケースＣの内部に水が浸入しないように、上ケース１１と下ケース１２との間にリング状の第３シール部材５３が配置されている。前記したように、スイッチ部材１３は、上ケース１１と下ケース１２の境界に配置されていることから、第３シール部材５３は、単なる一本のリングではなく、リングの一部に第２シール部材５２が介在する形状となっている。すなわち、第２シール部材５２と第３シール部材５３は、一体に形成されたシール部材５５となっている。第２シール部材５２および第３シール部材５３は、ゴム状のものであるのがよい。
なお、上ケース１１と下ケース１２には、縁に沿って、シール部材５５が入る溝が形成されていることで、組立作業が行いやすくなっている。
【００２６】
上ケース１１には、下ケース１２へ向けて、４つのボス１１ｂが形成されている。
この４つのボス１１ｂに対応して、下ケース１２には、４つの小孔１２ｂが形成されている。上ケース１１と下ケース１２とは、これらの間にシール部材５５を挟んで合わせた後、４つのボス１１ｂに小孔１２ｂを介してネジ９７をねじ込むことで結合されている。このように、４つのネジ９７により上ケース１１と下ケース１２とが結合されていることで、シール部材５５と上ケース１１および下ケース１２との密着性が高まり、優れた防水性能が発揮される。
【００２７】
上ケース１１の内面には、円形のスピーカ取付リブ１５が形成されている。スピーカ取付リブ１５の中央には、上下（上ケース１１の厚み方向）に貫通する警報音放出孔１６が形成されている。後述するように、スピーカ取付リブ１５には、取付リング３５を介してスピーカ３３が取り付けられている。
【００２８】
下ケース１２の外側面には、バンド９３の幅に対応したバンド取付孔１７が、下ケース１２の幅方向（短径の方向）に向けて形成されている。このバンド取付孔１７の成形のために、図２（ｂ）に示すように下ケース１２の内面に型抜き穴１７ａが必要となる。そのため、型抜き穴１７ａの形状に合わせた防水壁１７ｂが別部品として成形され、型抜き穴１７ａに接着されている。
【００２９】
次に、スイッチ穴１３ａのシール構造とスピーカ３３の防水構造について説明する。参照する図において、図３は図１のIII−III断面図であり、（ａ）はスイッチピンをスイッチ穴に挿入した状態、（ｂ）はスイッチピンをスイッチ穴から引き抜いた状態を示す。図４は、図１のIV−IV断面図である。
図３（ａ）に示すように、スイッチピン２０は、ピン部２１の長さ方向の中央付近に周方向に形成された係止溝２１ａを有している。一方、スイッチ部材１３のスイッチ穴１３ａの中には、挿入されたスイッチピン２０の係止溝２１ａに対応して突部１３ｂが形成されている。すなわち、スイッチ穴１３ａにスイッチピン２０を挿入すると、係止溝２１ａに突部１３ｂが係合するようになっている。より詳しく説明すると、この挿入状態において、突部１３ｂは係止溝２１ａの先端側の段差部分の角２１ｂに当接するように突部１３ｂと係止溝２１ａおよび角２１ｂの互いの位置関係が定められている。そのため、スイッチ穴１３ａにスイッチピン２０を挿入した状態では、スイッチピン２０がスイッチ穴１３ａの中側へ引き寄せられるように付勢されて、スイッチ穴１３ａの開口の縁部１３ｅと鍔部２２との間に第１シール部材５１が挟持されている。
従って、スイッチ穴１３ａは、外部からは第１シール部材５１により遮断されて、内部に水が浸入するのが防止されている。
【００３０】
なお、スイッチ穴１３ａ内には、固定された電極の第１接点１３ｃと、第１接点１３ｃに対面した第２接点１３ｄが設けられている。第２接点１３ｄは、板バネ構造を有し、常時第１接点１３ｃ側へ付勢されている。そして、スイッチピン２０をスイッチ穴１３ａに挿入すると、図３（ａ）に示すように、ピン部２１の先端が第２接点１３ｄを撓ませて第２接点１３ｄが第１接点１３ｃから離された状態となっている。そして、スイッチピン２０をスイッチ穴１３ａから引き抜くと、図３（ｂ）に示すように、第２接点１３ｄが第１接点１３ｃ側へ復元し、第１接点１３ｃに接触して、警報装置３０の警報動作のスイッチを入れるようになっている。
【００３１】
図４に示すように、警報音放出孔１６が形成された壁部１６ａは、上ケース１１の外表面１１ｆよりも一段凹んだ位置にある。また、外表面１１ｆを形成する外壁１１ｗと壁部１６ａとは、周壁１６ｂによりつながっている。壁部１６ａには、警報音放出孔１６の縁から外側へ向けて内側リブ１６ｃが形成されている。また、内側リブ１６ｃの外周側には、壁部１６ａから外側へ向けて内側リブ１６ｃと同心円状の外側リブ１６ｄが形成されている。
【００３２】
キャップ１４は、底壁１４ａと底壁１４ａの輪郭から立ち上がった周壁１４ｂとを有して略カップ形状をなしている。カップの内側には底壁１４ａから複数の接続足部１４ｃが突出して形成されている。接続足部１４ｃは、上ケース１１の外側リブ１６ｄと対応した位置に配置されており、接続足部１４ｃが外側リブ１６ｄに接着されることで、キャップ１４が上ケース１１に固定されている。このようにして、キャップ１４は、上ケース１１と適度な空間を保持しつつ、警報音放出孔１６を覆っている。そのため、警報音放出孔１６から出た音は、矢印Ａに示した通路を通って外部へ放出されると同時に、キャップ１４を振動させることによっても放出される。ところが、外側リブ１６ｄ、周壁１４ｂおよび周壁１６ｂによりラビリンス構造が形成されていることで、外部からキャップ１４付近に付着した水は、容易にはスピーカ３３まで達することはできない。
特に、内側リブ１６ｃがあることで、外側リブ１６ｄまで達した水も、内側リブ１６ｃを越えるのが困難であり、より防水性が高められている。また、壁部１６ａとスピーカ３３とが所定距離離間していることで、警報音放出孔１６まで達した水も、容易にはスピーカ３３に接触することがない。このような防水性能を効果的に機能させるためには、上ケース１１やキャップ１４を疎水性の材料で構成するか、これらの表面を疎水性になるように処理しておくのが望ましい。
なお、キャップ１４のカップ形状は、周壁１４ｂが底壁１４ａから徐々に広がる台形となっていることで、ブザー本体１０の外部へ大きな警報音が放出される。
【００３３】
スピーカ３３は、筒部３５ａと筒部３５ａの端部に形成された鍔部３５ｂとからなる取付リング３５の一端に接着されている。取付リング３５は、スピーカ取付リブ１５の内側に嵌合して固定される。取付リング３５の筒部３５ａとスピーカ取付リブ１５の間は、接着剤またはゴム状のシール材によりシールされている。
【００３４】
以上のように、本実施形態の携帯用防犯ブザー１は、上ケース１１と下ケース１２の合わせ目、スイッチ部材１３と、上ケース１１および下ケース１２との合わせ目、スイッチ部材１３のスイッチ穴１３ａ、スピーカ３３からの音が放出される警報音放出孔１６のすべてが防水構造となっており、水の飛散を受けても内部に水が浸入することがない。これにより、いわゆる生活防水性能を達成することができる。
また、スイッチ部材１３にシール部材５５（第２シール部材５２および第３シール部材５３）を取り付け、プリント基板３１を上ケース１１に固定するので、上ケース１１と下ケース１２を嵌め合わせるときにシール部材５５がずれることがなく、組立作業が行いやすいとともに、組立不良が発生しにくい。また、電池３２を交換する場合にも、下ケース１２を上ケース１１から外したときにシール部材５５が上ケース１１に組み付いたままであるので、再度組立をするのが容易である。
【００３５】
なお、スイッチ部材１３をケースＣの一方に固定する方法は、本実施形態ではねじ止めであったが、必ずしもねじ止めである必要はなく、嵌め込みや接着で固定しても構わない。また、本実施形態においては、スイッチ部材１３を上ケース１１に固定したが、下ケース１２に固定することもできる。さらに、本実施形態においては、スイッチ部材１３はプリント基板３１を介してケースＣに固定されていたが、スイッチ部材１３にねじ止め用の穴を設けたり、接着用の部位などを設けたりして、プリント基板３１を介さずに直接ケースＣに固定することもできる。
【００３６】
次に、本考案の第２実施形態について説明する。
図５は、本考案の第２実施形態に係る携帯用防犯ブザーの分解斜視図である。
図５に示す携帯用防犯ブザー１０１は、第１実施形態の携帯用防犯ブザー１と同様に、上ケース１１１と下ケース１１２により構成されるケースの中に警報装置１３０が収納され、ストラップ１９４がつけられたスイッチピン１２０をスイッチ穴１１３ａから引き抜くことで警報音を発するものである。そして、リング状の第１シール部材１５１をスイッチピン１２０のピン部１２１に外嵌し、鍔部１２２とブザー本体１１０との間で第１シール部材１５１を挟持している点でも、第１実施形態の携帯用防犯ブザー１と共通する。
しかし、上ケース１１１と下ケース１１２の縁１１１ａ，１１２ａと、スイッチ穴１３ａの開口部とが離れている点で第１実施形態の携帯用防犯ブザー１と異なる。
本実施形態の携帯用防犯ブザー１０１は、スイッチ部材１３と上ケース１１１の間に一つのリングからなる第２シール部材１５２を設け、上ケース１１１と下ケース１１２の間に一つのリングからなる第３シール部材１５３を設けている。すなわち、第２シール部材１５２と第３シール部材１５３とを別個に構成している。
このように第２シール部材１５２と第３シール部材１５３とを別体の構成とすることで、スイッチ穴１３ａの位置を自由に設定することができ、デザインの自由度を高めることができる。
【００３７】
以上に本考案の実施形態について説明したが、本考案は、前記した実施形態に限定されることなく、適宜変形して実施することが可能である。
たとえば、バンド９３の端部同士を面ファスナ９３ａ，９３ｂで結合するのではなく、ホックやバックルで結合するなど、他の方法で結合してもよい。
【図面の簡単な説明】
【００３８】
【図１】第１実施形態に係る携帯用防犯ブザーの全体斜視図である。
【図２】（ａ）は、実施形態に係る携帯用防犯ブザーの分解斜視図であり、（ｂ）は、下ケースの内面側から見た分解斜視図である。
【図３】図１のIII−III断面図であり、（ａ）はスイッチピンをスイッチ穴に挿入した状態、（ｂ）はスイッチピンをスイッチ穴から引き抜いた状態を示す。
【図４】図１のIV−IV断面図である。
【図５】本考案の第２実施形態に係る携帯用防犯ブザーの分解斜視図である。
【符号の説明】
【００３９】
１      携帯用防犯ブザー
１０    ブザー本体
１１    上ケース
１２    下ケース
１３    スイッチ部材
１３ａ  スイッチ穴
１４    キャップ
２０    スイッチピン
２１    ピン部
２２    鍔部
３０    警報装置
３１    プリント基板
３２    電池
３３    スピーカ
５１    第１シール部材
５２    第２シール部材
５３    第３シール部材
５５    シール部材
９３    バンド
９３ａ  面ファスナ
Ｃ      ケース
【図１】
0003119589.tif 000003
【図２】
0003119589.tif 000004
【図３】
0003119589.tif 000005
【図４】
0003119589.tif 000006
【図５】
0003119589.tif 000007